(57)【要約】  【課題】操作性を向上し得る携帯端末を提供する。  【解決手段】携帯端末１は、タッチパネル１０１を備えた上部筐体と、文字入力用の入力部１０３を備えた下部筐体とが相互にスライドするように連結され、入力部１０３が露出しない閉形態と入力部１０３が露出する開形態との２つの形態を取り得る携帯端末であって、制御部１０７は、タッチパネル１０１への接触が行われたことの検知が、入力部１０３を露出させる形態変化の途上でなされた場合に、接触位置に応じたアプリケーションを入力部１０３からの文字入力待ちの状態で起動する。【選択図】図２
2014068262.tif 000002
【特許請求の範囲】
【請求項１】
タッチパネルを備えた上部筐体と、文字入力用の入力部を備えた下部筐体とが相対的に移動するように連結され、前記入力部が露出しない閉形態と前記入力部が露出する開形態との２つの形態を取り得る携帯端末であって、
前記タッチパネルへの接触が行われたか否かを検知する接触検知部と、
前記閉形態から前記開形態への形態変化を検知する操作検知部と、
前記接触検知部における接触の検知がなされ、かつ、前記操作検知部により形態変化が検知された場合に、前記タッチパネルの接触の位置に基づいて起動すべきアプリケーションを特定し、当該アプリケーションを文字入力待ちの状態で起動する制御部とを備える
ことを特徴とする携帯端末。
【請求項２】
前記タッチパネルは、表示部を備え、
前記表示部は、アプリケーションに対応するアイコンを表示し、
前記制御部は、前記タッチパネルへの接触の位置が、前記アイコンの表示位置に該当する場合に、当該アイコンに対応付けたアプリケーションを、起動すべきアプリケーションと特定する
ことを特徴とする請求項１記載の携帯端末。
【請求項３】
更に、前記アプリケーションの起動が抑制されるロック状態、及び当該ロック状態の解除を行うロック部を備え、
ロック状態中において、前記操作検知部が前記形態変化を検知した場合には、前記ロック部が、ロック状態を解除する
ことを特徴とする請求項２記載の携帯端末。
【請求項４】
前記表示部は、前記ロック状態中に、各アイコンを表示している
ことを特徴とする請求項３記載の携帯端末。
【請求項５】
前記表示部は、当該表示部の表示領域を、前記上部筐体の移動方向に向かって分割して成る２領域の内、開形態にあるときの前記入力部に近い側の領域に各アイコンを表示する
ことを特徴とする請求項４記載の携帯端末。
【請求項６】
前記表示部は、複数のアプリケーションそれぞれに対応したアイコンを、各アプリケーションの使用頻度の高い順に、前記表示領域において、開形態にあるときの前記入力部に近い位置から所定の間隔で並べて表示する
ことを特徴とする請求項５記載の携帯端末。
【請求項７】
更に、消費電力の少ない状態の第１モードと、消費電力が前記第１モードより多い状態の第２モードとの動作モードの切替を行う動作モード制御部を備え、
前記動作モード制御部は、自端末が第１モードで動作中に、前記操作検知部によって前記形態変化を検知した場合に、前記第１モードから前記第２モードに動作モードを切り替えること
を特徴とする請求項１記載の携帯端末。
【請求項８】
更に、前記制御部が前記アプリケーションの起動を開始してから、前記アプリケーションが文字入力待ちの状態になるまでの間に、ユーザが前記入力部から入力した文字を記憶する文字記憶部と、
前記アプリケーションが文字入力待ちの状態になると、前記文字を、前記アプリケーションに入力する文字入力制御部とを備える
ことを特徴とする請求項１記載の携帯端末。
【請求項９】
タッチパネルを備えた上部筐体と、文字入力用の入力部を備えた下部筐体とが相対的に移動するように連結され、前記入力部が露出しない閉形態と前記入力部が露出する開形態との２つの形態を取り得る携帯端末の制御方法であって、
前記タッチパネルへの接触が行われたか否かを検知する接触検知ステップと、
前記閉形態から前記開形態への形態変化を検知する操作検知ステップと、
前記接触検知ステップにおける接触の検知がなされ、かつ、前記操作検知ステップにより形態変化が検知された場合に、前記タッチパネルの接触の位置に基づいて起動すべきアプリケーションを特定し、当該アプリケーションを文字入力待ちの状態で起動する制御ステップとを備える
ことを特徴とする携帯端末の制御方法。
【請求項１０】
タッチパネルを備えた上部筐体と、文字入力用の入力部を備えた下部筐体とが相対的に移動するように連結され、前記入力部が露出しない閉形態と前記入力部が露出する開形態との２つの形態を取り得る携帯端末の制御プログラムであって、
前記携帯端末に、
前記タッチパネルへの接触が行われたか否かを検知する接触検知ステップと、
前記閉形態から前記開形態への形態変化を検知する操作検知ステップと、
前記接触検知ステップにおける接触の検知がなされ、かつ、前記操作検知ステップにより形態変化が検知された場合に、前記タッチパネルの接触の位置に基づいて起動すべきアプリケーションを特定し、当該アプリケーションを文字入力待ちの状態で起動する制御ステップとを実行させる
ことを特徴とする携帯端末の制御プログラム。
【発明の詳細な説明】
【技術分野】
【０００１】
本発明は、携帯端末におけるアプリケーションプログラム（以下、単に「アプリケーション」と呼ぶ。）の制御技術に関し、特に文字入力を受け得るアプリケーションを起動する際の制御技術に関する。
【背景技術】
【０００２】
上部筐体と下部筐体とが相互にスライドするように連結されており、ディスプレイを備えた上部筐体をスライドさせることにより露出する下部筐体に備えられたキーボードを用いて、文字入力を行うタイプの携帯端末がある。以下、このようなタイプの携帯端末を「スライド式携帯端末」と呼ぶ。
スライド式携帯端末において、キーボードを隠蔽した形態（以下、「閉形態」と呼ぶ。）は、ディスプレイに表示された内容を閲覧するのに適した形態であり、キーボードを完全に露出させた形態（以下、「開形態」と呼ぶ。）は、文字入力に適した形態である。ユーザは、閉形態と開形態とを利用目的によって、適宜スライドさせることによって切り替えて、携帯端末を使用することができる。
【０００３】
特許文献１には、閉形態でＷｅｂブラウザのアプリケーションを実行中に、携帯端末の形態が開形態になったことを検知すると、ユーザが文字入力エリアを指定する操作を行わなくても、文字入力エリアにカーソルを移動させ、文字入力可能な状態にすることによって、文字入力の際の操作の手間を軽減するスライド式携帯端末が開示されている。
【先行技術文献】
【特許文献】
【０００４】
【特許文献１】特開２０１０−１５４０５６号公報
【発明の概要】
【発明が解決しようとする課題】
【０００５】
しかしながら、特許文献１に開示の携帯端末では、既にアプリケーションが起動している状態では、文字入力の際の操作の手間を軽減することはできるが、アプリケーションが起動していない状態では、アプリケーションが起動して文字入力ができる状態になるまでには、ユーザによる複数回の操作を必要とし、時間がかかるという問題がある。
そこで、本発明は、係る問題に鑑みてなされたものであり、操作性を向上し得る携帯端末を提供することを目的とする。
【課題を解決するための手段】
【０００６】
上記課題を解決するために、本発明に係る携帯端末は、タッチパネルを備えた上部筐体と、文字入力用の入力部を備えた下部筐体とが相対的に移動するように連結され、前記入力部が露出しない閉形態と前記入力部が露出する開形態との２つの形態を取り得る携帯端末であって、前記タッチパネルへの接触が行われたか否かを検知する接触検知部と、前記閉形態から前記開形態への形態変化を検知する操作検知部と、前記接触検知部における接触の検知がなされ、かつ、前記操作検知部により形態変化が検知された場合に、前記タッチパネルの接触の位置に基づいて起動すべきアプリケーションを特定し、当該アプリケーションを文字入力待ちの状態で起動する制御部とを備えることを特徴とする。
【発明の効果】
【０００７】
上述の構成により、本発明に係る携帯端末によれば、操作性を向上し得る。
【図面の簡単な説明】
【０００８】
【図１】携帯端末１の外観を示す斜視図
【図２】携帯端末１におけるアプリケーション起動時の操作例を示す図
【図３】携帯端末１の主要構成を示すブロック図
【図４】アプリケーションの内部構造の概念図
【図５】（ａ）アプリケーション起動情報２００の構成とその一例を示す図、（ｂ）アプリケーション起動情報２００と画面表示の関係を示す図
【図６】携帯端末１のアプリケーション起動時の動作を示すフローチャート
【図７】携帯端末１における通常のアプリケーションの操作例
【図８】変形例におけるアプリケーション起動時の動作を示すフローチャート
【図９】変形例におけるアイコンの表示位置を示す一例
【発明を実施するための形態】
【０００９】
＜１．概要＞
図１は、本実施の形態に係る携帯端末１の外観を示す斜視図である。携帯端末１は、上部筐体１１及び下部筐体１２から構成される。上部筐体１１にはタッチパネル１０１が配され、下部筐体１２には、入力部１０３が配されている。
上部筐体１１及び下部筐体１２は、相互にスライドするように連結されている。図１（ａ）に示す閉形態では、下部筐体１２の上に、上部筐体１１が重なるように位置する。携帯端末１が閉形態のとき、ユーザは、タッチパネル１０１への入力（タッチ操作）によって各種の操作を行う。ユーザは、上部筐体１１をスライドさせることにより、携帯端末１を、閉形態から、図１（ｂ）に示す開形態に変形させることができる。開形態のときには、ユーザは、タッチパネル１０１及び入力部１０３の両方を用いて各種の操作を行うことができる。なお、ここでいう開形態は、入力部１０３が完全に露出した状態を意味し、また、閉形態は、入力部１０３が完全に隠蔽した状態を意味し、どちらの形態も、入力部１０３の一部だけが露出している状態は含まない。すなわち、携帯端末１の形態には、開形態と、閉形態と、入力部１０３の一部だけが露出している途中の形態とがある。閉形態から閉形態でない状態になってから開形態になるまでは、入力部１０３の一部だけが露出している状態であり、形態変化の途上の状態を意味する。
【００１０】
スライド式携帯端末である携帯端末１は、一般的には、ユーザが文字入力を行わない場合、すなわち、ユーザが操作していない待ち受けの状態や、ユーザが主にタッチパネル１０１に表示された情報を閲覧している場合等においては、閉形態である。
一方、ユーザが文字入力を伴う利用を行う場合、例えば、メールの作成等を行う場合には、携帯端末１は、文字入力用の形態である開形態で利用される。
【００１１】
すなわち、ユーザが、携帯端末１の形態を開形態に変形した場合には、何らかの文字入力を行う目的があるということを意味する。
携帯端末１は、このようなユーザの文字入力を行うために行う操作と、起動するアプリケーションを選択する操作との組み合わせによって、アプリケーションを起動する際に、文字入力待ち状態ではない通常の状態で起動するのか、文字入力待ち状態で起動するのかを判断する。具体的には、携帯端末１は、ロック画面にアプリケーションのアイコンを表示し、ユーザによってこのアイコンにタッチしながら携帯端末１をスライドさせて閉形態から開形態に形態変化させる操作が行われると、ロックを解除し、タッチされたアイコンに対応したアプリケーションを、文字入力待ちの状態で起動する。なお、本実施の形態の携帯端末１は、携帯端末１が閉形態から閉形態でない状態に変化したことを検知し、その結果を、アプリケーションを文字入力待ちの状態で起動するか否かの判定に用いる。なお、ロックについての詳細は後述する。
【００１２】
図２に、文字入力待ちの状態でアプリケーションを起動する場合の操作の一例を示す。
図２（ａ）に示す様に、携帯端末１は、ユーザが、携帯端末１を片手で持ち、携帯端末１の形態を閉形態から開形態へ変化させるスライド操作を行う場合に、上部筐体１１を親指で支持しやすい位置にアイコンを表示する。これにより、ユーザは、アイコンにタッチしながら容易にスライド操作をすることができるため、容易に文字入力待ちの状態でアプリケーションを起動し得る。なお、スライド操作をしながらアイコンにタッチする操作をしてもよい。
【００１３】
例えば、電子メールのアプリケーション（以下、「メーラー」と呼ぶ。）を文字入力待ちの状態で起動しようとする場合、図２（ａ）で示すように、ユーザはタッチパネル１０１に表示されているメーラーのアイコン３０にタッチしながら、上部筐体１１と下部筐体１２とをスライドさせる操作を行う。すると、携帯端末１は、通常の起動の場合に表示されるメールの一覧画面ではなく、新規メール作成する画面を表示して、文字入力待ちの状態で起動する（図２（ｂ））。これにより、ユーザはメーラーの起動後、即座に文字入力を行うことができる。なお、このメールの一覧画面は、文字入力を行い得る画面ではなく、例えば、一覧からメールを選択する操作などを行う画面であり、ユーザはこの画面では、即座に文字入力を行うことはできない。
【００１４】
以下、このような携帯端末１の構成と動作の詳細について説明する。
＜２．構成＞
図３は、携帯端末１の主要部の内部構成を示すブロック図である。
同図に示すように、携帯端末１は、タッチパネル１０１、記憶部１０２、入力部１０３、文字入力バッファ１０４、磁気センサ１０５、磁石１０６、制御部１０７、スピーカ１０８、マイク１０９、Ｉ／Ｏ１１０、通信部１１１、及びアンテナ１１２を含んで構成される。
【００１５】
携帯端末１は、図示されていないプロセッサ、半導体メモリを含む。また、携帯端末１の制御部１０７の機能は、プロセッサが半導体メモリに記憶されているコンピュータプログラムを実行することで実現される。
（タッチパネル１０１）
タッチパネル１０１は、ユーザからのタッチ操作を受け付ける機能、及び操作に係る表示オブジェクト（アプリケーション起動用のアイコン及び、ファイルやフォルダを示すアイコン等）の表示を行う機能を備えるデバイスである。
【００１６】
タッチパネル１０１は、タッチパッド１２１、表示装置１２２、及びバックライト１２３を含む。
タッチパッド１２１は、静電容量方式や圧電方式等のタッチセンサを含み、表示装置１２２の表示面上に重畳して設けられている。タッチパッド１２１は、透明部材で構成され、表示装置１２２に表示された表示オブジェクトが見えるように構成されている。
【００１７】
タッチパッド１２１は、表示装置１２２に表示された表示オブジェクトに対するユーザのタッチ操作を受け付け、タッチパッド１２１に備えられたコントローラＩＣ（不図示）は、ユーザの指等の接触の有無を一定時間（例えば、２５ミリ秒）毎に検出し、タッチ操作の種類に関する情報及び接触を検出した座標値（ｘ，ｙ）を、一定時間（例えば、２５ミリ秒）毎に接触検知部１３１に送出する機能を備える。なお、タッチパッド１２１は、ユーザの指等の接触を検知しない場合には、タッチ操作の種類に関する情報として、タッチ操作がなされていないということを示す情報と座標値としてマイナスの座標値とを送出する。
【００１８】
ここで、ユーザが、タッチパネル１０１に対して行うタッチ操作について、簡単に説明する。
タッチ操作には、タップ、フリック、ドラッグ等が含まれる。
タップは、タッチパネル１０１に指を接触させた後、短時間のうちにタッチパネル１０１より指を離す操作である。
【００１９】
フリックは、タッチパネル１０１を指で任意の方向に弾く操作である。より具体的には、フリックとは、タッチパネル１０１に指を接触させ、任意の方向へ所定速度で指を弾く操作である。
ドラッグとは、タッチパネル１０１に表示された表示オブジェクトに指を触れ、表示オブジェクトを移動させる操作である。
【００２０】
表示装置１２２の例としては、ＬＣＤ（Liquid Crystal Display）や有機ＥＬ（Organic Electro Luminescence）等がある。
また、バックライト１２３の例としては、ＬＥＤ（Light Emitting Diode）がある。バックライト１２３は、表示装置１２２の背面に位置し、表示装置１２２の照明として機能する。
（記憶部１０２）
記憶部１０２は、半導体メモリであり、アプリケーション起動情報２００の記憶領域を有する。また、記憶部１０２は、後述するアイコンＩＤに対応したアイコンの画像データの記憶領域を有する。
（入力部１０３、文字入力バッファ１０４）
入力部１０３は、例えば、図１（ｂ）に示したように、複数のキーを含むハードウェアキーボードを含み、ユーザの入力に応じた文字データを、文字入力バッファ１０４を介して後述するアプリケーション起動部１３３が起動したアプリケーションに送出する機能を備える。
【００２１】
文字入力バッファ１０４は、入力部１０３から入力された文字データを一時的に記憶するための半導体メモリを含み、ＦＩＦＯ（First In First Out）の機能を備え、入力された順に文字データを、起動したアプリケーションに送出する。
（磁気センサ１０５、磁石１０６）
磁気センサ１０５及び磁石１０６は、携帯端末１が、閉形態から閉形態でない状態に変化したことを検知する開閉センサである。
【００２２】
磁石１０６は下部筐体１２に備えられ、磁気センサ１０５は上部筐体１１に備えられている。携帯端末１が閉形態のとき、磁気センサ１０５は、磁石１０６に近接し、磁石１０６により生じる磁界を検出する。携帯端末１が開形態のとき、磁気センサ１０５は、磁石１０６から離れており、磁石１０６により生じる磁界を検出しない。磁気センサ１０５は、後述するスライド操作検知部１３２の指示に従い一定時間毎（例えば、２５ミリ秒毎）に磁界の変化を調べ、磁界の大きさが小さくなるように変化した場合、すなわち、携帯端末１の形態が閉形態から閉形態でない状態に変化した場合に、スライド操作検知部１３２へ検知信号を送出する機能を備える。なお、スライド操作検知部１３２が磁界の変化を調べる際の一定時間は、ユーザによる通常のスライド操作で、携帯端末１が閉形態から開形態への形態変化に要する時間（例えば、５００ミリ秒）よりも短い時間に設定される。これにより、携帯端末１は、閉形態から開形態に形態変化する途上において、タッチ操作がなされたか否かの検知を行い得る。
（制御部１０７）
制御部１０７は、接触検知部１３１、スライド操作検知部１３２、アプリケーション起動部１３３、ロック部１３４を含む。これら機能ブロックは、相互にデータの授受を行う。
【００２３】
以下、これらの機能ブロックについて説明するが、制御部１０７は、上記機能ブロックにおける機能以外にも、通信機能、通話機能、及び各種アプリケーションの制御等、携帯端末１の動作全体を制御する機能を備える。
（接触検知部１３１）
接触検知部１３１は、タッチパネル１０１に備えられたタッチパッド１２１からタッチ操作の種類に関する情報及び接触を検知した位置の座標値を一定時間（例えば、２５ミリ秒）毎に受け取り、受け取った情報及び座標値を元にタッチパネル１０１への接触の有無を検知する機能を備える。接触検知部１３１は、タッチパッド１２１から受け取ったタッチ操作の種類に関する情報が、タッチ操作がなされていないということを示す情報でない場合及び座標値がマイナスの座標値である場合にタッチ操作が行われていないと判断する。また、タッチ操作が行われたと判断した場合に、受け取った座標値をアプリケーション起動部１３３に送出する機能を備える。
【００２４】
（スライド操作検知部１３２）
スライド操作検知部１３２は、磁気センサ１０５から受信した検知信号によって携帯端末１の形態が閉形態から開形態に形態変化したか否かを検知する機能を備える。磁気センサ１０５から検知信号を受信した場合に、スライド操作検知部１３２は、携帯端末１の形態が閉形態から開形態に形態変化したと判定する。すなわち、ここでいう閉形態から開形態での形態変化の検知とは、携帯端末が、閉形態から閉形態でない状態に変化したことを検知することを意味する。
【００２５】
スライド操作検知部１３２は、携帯端末１の形態が閉形態から開形態に形態変化したことを検知した場合には、その旨を示す検知信号をアプリケーション起動部１３３及びロック部１３４へ送出する。
（アプリケーション起動部１３３）
アプリケーション起動部１３３は、記憶部１０２に記憶されているアプリケーション起動情報２００を参照し、接触検知部１３１から、タッチパッド１２１によって検知された接触位置の座標値に基づいて、起動すべきアプリケーションを特定して起動する機能を備える。
【００２６】
また、スライド操作検知部１３２からの検知信号を受領してから、予め定められた一定時間（例えば、２５０ミリ秒）以内に接触検知部１３１から座標値を受領した場合には、座標値に対応したアプリケーションを、文字入力待ちの状態で起動する機能を備える。
なお、アプリケーションは、その起動の際に、アプリケーション起動部から、文字入力待ちの状態で起動する指示を受け付け、その指示を受けた場合には、文字入力待ちをしない状態（非文字入力待ちモード）で起動する通常の起動ではなく、文字入力待ちの状態（文字入力待ちモード）で起動する機能を備えている。具体的には、例えば、アプリケーションの起動コマンドに引数を付けて実行し、その引数に応じてアプリケーションが通常の状態で起動するのか、文字入力待ちの状態で起動するのかを判別して起動する。
【００２７】
図４に、アプリケーション５００の内部構造の概略図を示す。なお、図４には、引数によって処理を切り替える機能に関する部分の構造を示し、アプリケーションのその他の機能部分については省略している。アプリケーション５００は、起動直後の状態を切り替えて起動できるように構成されている。アプリケーション起動部１３３は、例えば、通常の状態で起動する場合には、アプリケーションの起動コマンドに何も引数を付けないか、「０」を引数として付け、文字入力待ちの状態で起動する場合には、「１」を引数として付けてコマンドの実行を行う。アプリケーション５００は、まずステップＳ５０１で、引数が「１」であるか否かを判断して、引数が「１」である場合には、文字入力待ちモードで起動し、そうでなければ、通常の起動である非文字入力待ちモードで起動する。
【００２８】
入力待ちモードとは、アプリケーションが、入力部１０３から入力された文字列のデータを処理対象として処理し得る状態をいい、非文字入力待ちモードとは、入力待ちモードではない状態のことをいう。非文字入力待ちモードでは、ユーザによって入力部１０３から文字列が入力されても入力された文字列のデータは、アプリケーションの処理対象とならない。
【００２９】
通常のアプリケーションの使用においては、ユーザは、メニュー選択、モード切替、表示装置１２２に表示されている文字入力フィールドにフォーカスする操作等を行って非文字入力待ちモードから文字入力待ちモードに切り替える。
なお、図４に示す点線矩形５１０で囲われている部分は、従来のアプリケーションの構造と同じである。従来のアプリケーションは、非入力待ちモードでの起動、すなわち、アプリケーション５００におけるステップＳ５０１のＮＯに相当する場合の起動しかなく、文字入力待ちモードでの起動、すなわちステップＳ５０１のＹＥＳに相当する場合の起動はできない構造である。
【００３０】
ここで、アプリケーション起動部１３３が、起動するアプリケーションを特定するために参照するアプリケーション起動情報２００について説明する。
図５（ａ）にアプリケーション起動情報２００の構成とその一例を示す。
アプリケーション起動情報２００は、携帯端末１の製造時に予め設定される。
アプリケーション起動情報２００は、タッチパッド１２１の位置と、その位置に接触した場合に起動するアプリケーションとを関連付けたテーブルである。なお、関連付けられるアプリケーションは、文字入力を受け得るアプリケーションである。具体的には、アプリケーション起動情報２００は、項目として、アプリケーション名２０１、アイコンＩＤ２０２、中心座標２０３、幅２０４及び高さ２０５を有する。
【００３１】
アプリケーション名２０１は、起動するアプリケーションを特定する情報である。図５（ａ）の例では、アプリケーション名を起動するアプリケーションを特定する情報として記憶する。
アイコンＩＤ２０２は、ユーザがアプリケーションを起動する際に、ユーザがタッチ操作によりアプリケーションを指定できるようにするために、表示装置１２２に表示するアイコンを特定するためのＩＤである。アイコンＩＤそれぞれは、記憶部１０２に記憶されているアイコンの画像データと対応付けられている。なお、アプリケーション起動情報２００には、図５（ａ）に図示していないが、アイコンＩＤに対応するアイコンの画像データが格納されている記憶部１０２における格納アドレスの情報も含まれる。
【００３２】
制御部１０７は、アイコンＩＤに対応付けられたアイコンの画像データを記憶部１０２から読出し、表示装置１２２に送出し、表示装置１２２は、座標値に従ってアイコンの画像データを表示する。なお、「アイコンの表示」とは、アイコンＩＤで特定されるアイコンの画像データを表示装置１２２に表示することを意味する。
中心座標２０３は、アイコンＩＤ２０２に示されたアイコンを表示装置１２２に表示する際の表示位置を示す座標の情報である。中心座標２０３で示される座標にアイコンの中心が一致するように表示される。
【００３３】
幅２０４は、表示するアイコンの横方向（Ｘ方向）のサイズの情報である。
高さ２０５は、表示するアイコンの縦方向（Ｙ方向）のサイズの情報である。
制御部１０７は、携帯端末１がロック中に、アプリケーション起動情報２００を参照し、
中心座標２０３で示される座標位置にアイコンを表示する指示を行い、表示装置１２２は、制御部１０７の指示に従い、アイコンを表示する。
【００３４】
アプリケーション起動部１３３は、ユーザが、タッチパッド１２１をタッチ操作したときの接触位置の座標値が、中心座標２０３を中心としてＸ軸方向には幅２０４で指定される範囲、Ｙ軸方向には高さ２０５で指定される範囲に含まれる場合に、アプリケーション名２０１に示されるアプリケーションを起動する。
図５（ｂ）に図５（ａ）のアプリケーション起動情報２００の例で示されるアプリケーションを表示装置１２２へ表示した例を示す。なお、図５（ｂ）で示す様に、横方向をＸ軸、縦方向をＹ軸とし、表示装置１２２における表示領域の左上隅の座標値を原点（０，０）とし、右下隅の座標値を（７２０，４８０）とする。
【００３５】
図５（ｂ）では、アプリケーション起動情報２００に記憶されているメーラーに対応するアイコン３０、ブラウザに対応するアイコン４０、スケジューラーに対応するアイコン５０がそれぞれ、中心座標２０３、幅２０４、高さ２０５で示される値に従って表示されている。
文字入力待ちモードでアプリケーションを起動しようとする場合には、ユーザは、アイコンにタッチしながら、閉形態から開形態へ形態変化させるためのスライド操作をする。具体的には、例えば、図２（ａ）で示したように、ユーザは、閉形態の携帯端末１を片手で持ち、この状態で、起動しようとするアプリケーションに対応したアイコンに親指でタッチする。そして、親指でアイコンにタッチしたまま、上部筐体１１を支持しながら、親指と下部筐体１２を支持している他の指とで携帯端末１をスライドさせて下部筐体１２の入力部１０３を露出させ、閉形態から閉形態でない状態に形態変化させる。
【００３６】
このようなユーザの操作を検知した場合に、アプリケーション起動部１３３は、どのアイコンがタッチ操作されたかを判断して、対応するアプリケーションを文字入力待ちモードで起動する。
例えば、ユーザがメーラーを立ち上げようとして、メーラーのアイコンの表示位置である（６００，３６０）を中心として幅が６０、高さが６０の範囲、すなわち対角の座標が（５７０，３３０）−（６３０，３９０）で示される矩形の範囲内をタッチした場合に、アプリケーション起動部１３３は、アプリケーション起動情報２００を参照して、この範囲に対応するアプリケーション、すなわちメーラーのアイコンがタッチ操作されたと判断してメーラーを起動する。
【００３７】
（ロック部１３４）
ロック部１３４は、タッチパネル１０１への接触による誤動作を防止するためのロック及び通常の動作状態にするためのロックの解除を行う機能を有する。
ロックとは、タッチパッド１２１を介した入力操作を無効にする状態のことである。ロック部１３４は、Ｉ／Ｏ１１０を介して受け取るタッチパッドからの情報を無効にすることによりロックの状態にする。すなわち、ロック中は、表示装置１２２に表示されているアプリケーション起動のためのアイコンをタッチしてもアプリケーションが起動しない。ロックの解除とは、ロックの状態から、タッチパッド１２１を介した入力操作を有効にして、携帯端末１を通常の動作状態にすることをいう。
【００３８】
ロック部１３４は、接触検知部１３１が、タッチパネル１０１のタッチパッド１２１への接触を最後に検知してから一定時間（例えば、６０秒）経過すると、携帯端末１を、ロックの状態にし、表示装置１２２へ、ロック中であることを示す画像を表示させる。
なお、ロック中であっても、ロック部１３４は、ユーザからのロック解除操作（例えば、タッチパネル１０１へのフリック）を受け付ける。ロック部１３４は、接触検知部１３１が、タッチパッド１２１へのフリックを検知した場合には入力操作を無効にせず、ロックを解除する。また、スライド操作検知部１３２からの検知信号を受領した場合も、ロックを解除する。
（スピーカ１０８、マイク１０９）
スピーカ１０８は、音声通話を行う際の音声や、携帯端末１の操作時の警告音等を発する。
【００３９】
マイク１０９は、音声の入力を受け付ける。例えば、マイク１０９は、ユーザからの通話音声等の入力を受け付ける。
（Ｉ／Ｏ１１０）
Ｉ／Ｏ１１０は、タッチパネル１０１、スピーカ１０８、及びマイク１０９と、制御部１０７とのデータの受け渡しを行う入出力インターフェースである。
（通信部１１１、アンテナ１１２）
通信部１１１は、基地局とアンテナ１１２を介して無線通信を行うための無線通信回路である。
【００４０】
通信部１１１は、基地局に接続し、他の電話機、パーソナルコンピュータ、ウェブサーバ等との間で、音声データ、文字データ、画像データ、位置データ等を送受信する。
＜３．動作＞
次に、上記構成を備える携帯端末１の動作について説明する。
以下では、携帯端末１の形態が閉形態であり、誤動作防止のためのロック中である場合について動作の説明をする。
【００４１】
図６に、携帯端末１がロック中における動作のフローチャートを示す。
接触検知部１３１は、ユーザがタッチパッド１２１に対して、ロックを解除するためにフリックを行ったか否かを検知する（ステップＳ１０）。具体的には、タッチパッド１２１は、一定時間（例えば２５ミリ秒）毎にタッチ操作が行われたかを検出し、タッチ操作の種類や接触位置の座標値の情報を、逐次、接触検知部１３１に送出する。接触検知部１３１は、タッチパッド１２１から受け取ったタッチ操作の種類の情報からタッチ操作がフリックであるか否かを判断する。
【００４２】
接触検知部１３１が、ユーザのタッチ操作がフリックであると判断した場合（ステップＳ１０：ＹＥＳ）、ロック部１３４は、ロックを解除し（ステップＳ１６）、制御部１０７は、ロック画面を消去して待ち受け画面を表示する指示をタッチパネル１０１に行い、タッチパネル１０１は、表示装置１２２のロック画面を消去し（ステップＳ１７）、表示装置１２２に待ち受け画面を表示する（ステップＳ１８）。
【００４３】
一方、接触検知部１３１が、ユーザのタッチ操作がフリックでないと判断した場合（ステップＳ１０：ＮＯ）、スライド操作検知部１３２は、閉形態から開形態へ形態変化したか否かを判定する（ステップＳ１１）。具体的には、磁気センサ１０５から検知信号が送出された場合には、閉形態から開形態へ形態変化したと判断し、検知信号が送出されていない場合には、閉形態から開形態へ形態変化がないと判断する。
【００４４】
スライド操作検知部１３２が、閉形態から開形態へ形態変化がないと判断した場合（ステップＳ１１：ＮＯ）には、ステップＳ１０からの処理を繰り返す。なお、接触検知部１３１及びスライド操作検知部１３２は、それぞれ一定時間（例えば、２５ミリ秒）毎に検知を行う。
一方、スライド操作検知部１３２が、閉形態から開形態へ形態変化を検知した場合（ステップＳ１１：ＹＥＳ）、ロック部１３４は、ロックを解除する（ステップＳ１２）。
【００４５】
次に、アプリケーション起動部１３３は、アプリケーションのアイコンにタッチしているか否かを判定する（ステップＳ１３）。具体的には、アプリケーション起動部１３３は、記憶部１０２からアプリケーション起動情報２００を読出し、アプリケーション起動情報２００に登録されているアプリケーションそれぞれについて、接触検知部１３１から逐次送出される座標値が、そのアプリケーションに対応したアイコンの表示範囲内にあるかを調べる。アイコンの表示範囲内に、接触検知部１３１から送出される座標値がある場合には、そのアイコンに対応するアプリケーションを起動対象のアプリケーションであると判断する。一方、接触検知部１３１から送出される座標値が表示範囲内にあると判断されるアイコンがない場合には、起動するアプリケーションがないと判断する。
【００４６】
アプリケーション起動部１３３が、起動するアプリケーションがないと判断した場合（ステップＳ１３：ＮＯ）、ステップＳ１７、ステップＳ１８の処理を行う。
一方、アプリケーション起動部１３３が起動するアプリケーションを特定した場合（ステップＳ１３：ＹＥＳ）、アプリケーション起動部１３３は、非文字入力モードでの通常の起動ではなく、文字入力待ちモードでアプリケーションを起動する（ステップＳ１４）。具体的には、アプリケーション起動部１３３は、アプリケーションの起動コマンドに引数として「１」を付加して起動コマンドを実行する。
【００４７】
次に、制御部１０７は、ロック画面を消去する指示をタッチパネル１０１に行い、タッチパネル１０１は、表示装置１２２のロック画面の表示を消去する（ステップＳ１５）。なお、ロック画面を消去すると、起動したアプリケーションは、表示装置１２２に起動した文字入力待ちモードの画面を表示する。
以上の処理により、ユーザは、ロックを解除し、アプリケーションを起動することができ、アプリケーションの起動後、即座に文字入力を行うことができる。
＜４．補足＞
ここで、本実施の形態に係る携帯端末１におけるユーザ操作との比較のために、従来の一般的な携帯端末におけるアプリケーション起動の際のユーザの操作について説明する。
【００４８】
一例として、図７を用いて、メーラーを利用する場合のユーザ操作を、操作手順に従って簡単に説明する。
携帯端末は、ユーザが意図しないタッチパネル１０１への接触による誤動作を防止するためのロック機能を備えており、ユーザが操作していない状態が一定時間続くと、ロック状態になる（図７（ａ））。ロック中は、ユーザが、ロック中であるのか否かを識別できるように、タッチパネル１０１の表示装置１２２にロック中であることを示す画像を表示する。
【００４９】
このような状態からメーラーを利用する場合には、ユーザは、まず、ロックを解除する必要がある。ロック解除するためには、ユーザは予め決められた操作を行う。ロック解除の操作は、例えば、タッチパネル１０１を指で所定の方向になぞるフリックによって行う。
ロックが解除された携帯端末は、ロック画面の表示を消去し、待ち受け画面を表示する（図７（ｂ））。
【００５０】
次に、ユーザは、待ち受け画面に表示されているアプリケーションのアイコンの内、メーラーに対応したアイコン３０をタップする。
メーラーのアイコン３０をタップされた携帯端末は、メーラーを起動する。起動したメーラーは、受信メールの一覧を初期画面として表示する（図７（ｃ））。
ユーザは、新規に電子メールを作成する場合には、上部筐体をスライドさせ、閉形態から開形態に形態変化させて、キーボードを露出させる。そして、文字入力させたいエリアをタップして、文字入力位置にカーソル３００を移動させ、キーボードによって文字を入力する（図７（ｄ））。
【００５１】
ユーザが、受信メールを確認する目的でメーラーを起動した場合は、メーラーの起動時の初期画面が受信メール一覧であることが望ましい。しかし、ユーザが、新規に電子メールを作成する目的でメーラーを起動した場合には、上記のように複数回の操作を行わなければならず、ユーザにとって手間がかかる。
一方、本実施の形態に係る携帯端末１は、既に説明したように、通常は非文字入力待ちモードで起動するアプリケーションを、そのアプリケーションに対応したアイコンにタッチしながら、閉形態から開形態へ形態変化させる操作が行われると、文字入力待ちモードで起動する。
【００５２】
このため、ユーザは、アプリケーションを利用する際に、文字入力するまでに行っていた所定の操作を削減することができ、操作の手間が軽減され、操作性を向上させることができる。
＜５．変形例＞
以上、本発明の一態様である携帯端末１について説明したが、例示した携帯端末１を以下のように変形することも可能であり、本発明が上記の実施の形態で示した通りの携帯端末１に限られないことは勿論である。
【００５３】
（１）実施の形態では、携帯端末１がロック中の動作について説明したが、携帯端末１は、ロック中である必要はない。携帯端末１は、閉形態であり、アプリケーションが起動しておらず、ユーザによる文字入力の操作が行われていない状態であればよい。このような状態であれば、表示装置１２２にロック画面や待ち受け画面等が表示されていない状態でも構わない。例えば、携帯端末１は、スリープモードであってもよい。本変形例において、スリープモードとは、タッチパッド１２１、磁気センサ１０５、接触検知部１３１、スライド操作検知部１３２以外への電力供給を停止し、プロセッサを通常よりも低クロックで動作させることにより、電力の消費を低減した状態で携帯端末１を動作させるモードのことをいう。一方、スリープモードでない状態、すなわち、上記の各機能ブロックに電力を供給し、スリープモードに比べて電力の消費を低減していない状態を通常モードという。なお、携帯端末１は、ユーザの操作を最後に検知してから、予め定められた一定時（例えば、６０秒）経過すると、ロック状態になる。そして、更に別の予め定められた一定時間（例えば、５分）ユーザの操作を検知しなければ、通常モードからスリープモードへ切り替わる。スリープモードで動作中の携帯端末１では、表示装置１２２及びバックライト１２３への電力供給がなされないので、ユーザは、表示装置１２２に表示されたアイコン等を視認することはできない。スリープモードで動作中の携帯端末１は、スライド操作検知部１３２によって、閉形態から開形態へ形態変化したことが検知された場合、及び接触検知部１３１によって、タッチパッド１２１に対するユーザのフリックが検知された場合に、電力供給を停止していた各構成要素に電力の供給を再開し、プロセッサを通常のクロックで動作させることにより、自端末をスリープモードから通常モードに切り替える。
【００５４】
以下、携帯端末１がスリープモードである場合における動作について説明する。
図８に、携帯端末１がスリープモードである場合における動作のフローチャートを示す。
接触検知部１３１は、スリープモードを解除するため、すなわちスリープモードから通常モードへ切り替えるため、タッチパッド１２１に対して、ユーザによるフリックが行われたか否かを検知する（ステップＳ２０）。具体的には、タッチパッド１２１は、一定時間（例えば、２５ミリ秒）毎にタッチ操作が行われたかを検出し、タッチ操作の種類や接触位置の座標値の情報を、逐次、接触検知部１３１に送出する。接触検知部１３１は、タッチパッド１２１から受け取ったタッチ操作の種類の情報からタッチ操作がフリックであるか否かを判断する。
【００５５】
接触検知部１３１が、ユーザのタッチ操作がフリックであると判断した場合（ステップＳ２０：ＹＥＳ）、制御部１０７は、スリープモードを解除する（ステップＳ２５）。
次に、制御部１０７は、待ち受け画面を表示する指示をタッチパネル１０１に行い、タッチパネル１０１は、表示装置１２２に待ち受け画面を表示する（ステップＳ２６）。
一方、接触検知部１３１が、ユーザのタッチ操作がフリックでないと判断した場合（ステップＳ２０：ＮＯ）、スライド操作検知部１３２は、閉形態から開形態へ形態変化したか否かを判定する（ステップＳ２１）。具体的には、磁気センサ１０５から検知信号が送出された場合には閉形態から開形態へ形態変化したと判断し、検知信号が送出されていない場合には閉形態から開形態へ形態変化していないと判断する。
【００５６】
スライド操作検知部１３２が、閉形態から開形態へ形態変化していないと判断した場合（ステップＳ２１：ＮＯ）には、ステップＳ２０からの処理を繰り返す。なお、接触検知部１３１及びスライド操作検知部１３２は、それぞれ一定時間（例えば、２５ミリ秒）毎に検知を行う。
一方、スライド操作検知部１３２が、閉形態から開形態へ形態変化を検知した場合（ステップＳ２１：ＹＥＳ）、制御部１０７は、スリープモードを解除する（ステップＳ２２）。
なお、制御部１０７は、ロックも解除する。
【００５７】
次に、アプリケーション起動部１３３は、スリープモードに切り替わる前に表示されていたアイコンの位置にタッチしているか否かを判定する（ステップＳ２３）。具体的には、アプリケーション起動部１３３は、記憶部１０２からアプリケーション起動情報２００を読出し、アプリケーション起動情報２００に登録されているアプリケーションそれぞれについて、そのアプリケーションが対応する表示装置１２２の座標エリア内に、接触検知部１３１から送出される座標値があるかを調べる。アイコンの表示範囲内に、接触検知部１３１から送出される座標値がある場合には、そのアイコンに対応するアプリケーションを起動対象のアプリケーションであると判断する。一方、接触検知部１３１から送出される座標値が表示範囲内と判断されるアイコンがない場合には、起動するアプリケーションがないと判断する。
【００５８】
アプリケーション起動部１３３が、起動するアプリケーションがないと判断した場合（ステップＳ２３：ＮＯ）、ステップＳ２６の処理を行う。
一方、アプリケーション起動部１３３が起動するアプリケーションを特定した場合（ステップＳ２３：ＹＥＳ）、アプリケーション起動部１３３は、文字入力待ちモードでアプリケーションを起動する（ステップＳ２４）。具体的には、アプリケーション起動部１３３は、アプリケーションの起動コマンドに引数として「１」を付加して起動コマンドを実行する。なお、起動したアプリケーションは、入力待ち状態の画面を表示装置１２２に表示する。
【００５９】
以上の処理により、携帯端末１がスリープモードで動作中においては、表示装置１２２には、アイコン等が表示されておらず、ユーザは、アイコンを視認することができないが、スリープモードでなければアイコン等が表示されるべき位置にタッチしながらスライド操作することによって、スリープモードを解除し、アプリケーションを起動することができ、アプリケーションの起動後、即座に文字入力を行うことができる。
【００６０】
なお、本変形例において、接触検知部１３１及びスライド操作検知部１３２は、ロック中と同様の一定時間（例えば、２５ミリ秒）毎に検知を行うとしたが、ロック中と同様の一定時間毎に検知することに限らない。ロック中における検知の時間間隔と異なっていてもよい。例えば、ロック中より長い一定時間毎に検知を行ってもよい。一例をあげると、ロック中における一定時間（例えば、２５ミリ秒）の２倍の一定時間（例えば、５０ミリ秒）毎に行うようにしてもよい。このようにスリープモードにおいて、検知を行う間隔を長くすることによって更に、消費電力を低減することができる。
【００６１】
（２）実施の形態に係る携帯端末１の下部筐体１２は、入力部としてハードウェアキーボードを備える構成を有していた。しかし、本発明に係る携帯端末はこの構成に限定されない。入力部は、文字入力ができればどのような構成であってもよい。例えば、下部筐体１２にもタッチパネルを備え、タッチパネルの表示装置に複数のキーから構成されるソフトウェアキーボードを表示させ、表示されたキーをタッチ操作することで文字入力するようにしてもよい。制御部１０７は、このソフトウェアキーボードを制御するプログラムを実行することによってソフトウェアキーボードの機能を実現すればよい。また、手書き文字認識機能を備えた入力部であってもよい。
【００６２】
（３）実施の形態に係る携帯端末１の起動するアプリケーションとしてメーラーを起動する例で説明したが、起動するアプリケーションは、メーラーに限らない。起動するアプリケーションは、非文字入力待ちモードと、文字入力待ちモードとのどちらかのモードでも起動することができ、通常の状態での起動においては、非文字入力待ちモードで起動するアプリケーションであればどのようなアプリケーションでも構わない。このようなアプリケーションには、表示装置１２２にユーザに情報を提示する画面を表示する機能と、表示装置１２２に文字入力フィールドを表示して、ユーザからの問い合わせ等の処理を行うための文字入力を受け付ける機能とを合わせ持つアプリケーションが考えられる。具体的には、例えば、Ｗｅｂブラウザ、スケジューラー、アドレス帳、及び地図等のアプリケーションである。これらのアプリケーションは、それぞれのアプリケーションの起動コマンドをアプリケーション起動部１３３が実行することにより、起動される。そして、これらの起動コマンドには、起動時に文字入力待ちモードで起動する指示を行う引数を追加することができ、アプリケーション起動部１３３は、その引数を追加して起動コマンドを実行する。実施の形態で既に述べたように、アプリケーション起動部１３３は、文字入力待ちモードで起動する場合は、引数として「１」を追加して起動し、通常の状態での起動においては、引数なしで起動するか、若しくは引数「０」を追加して起動する。なお、アプリケーション起動部１３３は、このようなモードを切り替えて起動する手段を持たないアプリケーションの場合には、通常の状態（引数なし、若しくは引数「０」）で起動するようにしてもよい。なお、引数の「０」や「１」は例示であって、文字入力待ちモードで起動するか、通常の状態での起動である非文字入力待ちモードで起動するかを区別できれば、どのような引数であってもよい。
【００６３】
（４）実施の形態に係る携帯端末１は、ロック中に表示装置１２２の所定の表示位置にアイコンを表示する例で説明したが、アイコンの表示位置はこれに限られない。ユーザにとってアイコンにタッチしながら閉形態から開形態へ形態変化させるスライド操作がしやすい位置にアイコンを表示できればよい。例えば、ユーザの各アプリケーションの使用頻度に基づいて、表示レベルを分け、その表示レベルに応じて、以下のように表示位置を決定してもよい。
【００６４】
図９（ａ）にアプリケーションとそのアプリケーションに対応したアイコンの表示レベルとの関係を示す表示レベルテーブル４００の構造とその一例を示す。
表示レベルテーブル４００は、記憶部１０２に記憶される。
表示レベルテーブル４００は、アプリケーション名４０１と表示レベル４０２とを対応付けたテーブルである。アプリケーション名４０１は、ユーザが使用するアプリケーションを特定する情報を格納する項目であり、図９（ａ）の例では、アプリケーション名が格納されている。
【００６５】
表示レベル４０２は、アプリケーション名４０１で示されるアプリケーションに対応するアイコンを表示装置１２２に表示する際の表示位置のレベルを示す情報を格納する項目であり、図９（ａ）の例では、表示レベルの値として「１」又は「２」が格納されている。
表示レベルの値が「１」のアプリケーションの方が、表示レベルの値が「２」のアプリケーションより使用頻度が高いことを示す。
【００６６】
制御部１０７は、表示レベルテーブル４００をアプリケーションが起動されるたびに更新し、アプリケーションの累積起動回数が多い順に一定数のアプリケーションの表示レベルを「１」にし、その他のアプリケーションの表示レベルを「２」とする。
図９（ｂ）に、ロック中の、表示レベルテーブル４００に基づくアイコンの表示例を示す。
【００６７】
アイコン３０、４０、５０、６０、７０は、それぞれ表示レベルテーブル４００のアプリケーション名４０１に記憶されているアプリケーションであるメーラー、ブラウザ、スケジューラー、アドレス帳、地図に対応したアイコンである。
表示エリア４１０と表示エリア４２０は、それぞれ予め定められたアイコン表示のエリアである。表示エリア４１０は、表示レベルが「１」のアプリケーションに対応したアイコンを表示するエリアであり、表示エリア４２０は、表示レベルが「２」のアプリケーションに対応したアイコンを表示するエリアである。制御部１０７は、表示レベルテーブル４００を参照し、表示レベルの値に基づき、格納されている順にそれぞれの表示エリアに所定の間隔で表示する指示をタッチパネル１０１に行い、タッチパネル１０１は、表示装置１２２にそれぞれのアイコンを表示するようにしてもよい。
【００６８】
このようなアイコンの表示を行うと、使用頻度の高いアプリケーションのアイコンは、スライド操作の際にユーザがタッチしやすい位置に優先的に表示することができる。
（５）実施の形態に係る携帯端末１では、アプリケーション起動情報２００において、表示装置１２２における表示位置と対応付けるアプリケーションを特定する情報として、アプリケーション名２０１にアプリケーション名を格納するとしたが、格納する情報はアプリケーション名に限らない。起動するアプリケーションを特定する情報であればよい。例えば、アプリケーション毎のユニークなＩＤであってもよい。
【００６９】
（６）実施の形態では、閉形態から開形態への形態変化の検知に、磁気センサ１０５及び磁石１０６を用いた。しかし、磁気センサ１０５及び磁石１０６は、開閉センサの一例である。閉形態から開形態への形態変化の検知は、磁気センサと磁石を用いる方法に限らない。閉形態から開形態への形態変化の検知ができればよい。例えば、携帯端末１が閉形態のときには、上部筐体１１の一部と下部筐体１２の一部とが物理的に接触し、スライドさせて閉形態でない状態になると、その接触が離れるスイッチ等を用いて、接触が離れたことを検知してもよい。
【００７０】
（７）実施の形態の携帯端末１のスライド操作検知部１３２は、閉形態から閉形態でない状態に変化したことを検知することで、閉形態から開形態へ形態変化したか否かを判断するとしたが、閉形態から開形態へ形態変化したか否かの判断は、これに限らない。携帯端末１の形態が、下部筐体１２の入力部１０３による文字入力ができる形態に変化することが判断できればよい。例えば、入力部１０３が完全に露出した状態になったことを検知してもよい。すなわち、閉形態のときに磁石１０６の磁界を検知する磁気センサ１０５の代わりに、開形態のときに、上部筐体の磁石１０６に接近する位置に磁気センサを配置し、この磁石１０６による磁界をこの磁気センサが検知するようにしてもよい。
【００７１】
（８）実施の形態では、ユーザによる操作として、アイコンにタッチしながら携帯端末１の形態を閉形態から開形態へ形態変化させるスライド操作を行う場合を例に、携帯端末１の動作を説明した。そして、アプリケーション起動部１３３は、スライド操作検知部１３２からの検知信号を受領してから、予め定められた一定時間（例えば、２５０ミリ秒）以内に接触検知部１３１から座標値を受領した場合に文字入力待ちの状態で起動するとした。しかしながら、ユーザが起動しようとするアプリケーションを文字入力待ちモードで起動するか否かの判断は、先にスライド操作を検知することに限らない。スライド操作の検知とアイコンへの接触の検知とは、どちらが先でも構わない。例えば、先にアイコンへの接触を検知して、一定時間（例えば、２５０ミリ秒）以内に閉形態から開形態へ形態変化させるスライド操作を検知すると、文字入力待ちモードでアプリケーションを起動すると判断してもよい。
【００７２】
また、アプリケーションを文字入力待ちモードで起動するか否かの判断は、形態変化の検知と接触の検知との時間間隔に基づいて判断する場合に限らない。アイコンに接触しながら閉形態から開形態に形態変化させるスライド操作が行われたとみなされるユーザ操作が行われたことを判断できればよい。例えば、磁気センサ１０５と上記（６）で示した開形態のときに磁石１０６に接近する磁気センサとの両方を備え、両形態を検知するようにして、閉形態から閉形態でない状態に変化してから、開形態になるまでの間、すなわち入力部１０３の一部だけが露出している途中の形態である間に、アイコンへのタッチを検知すると文字入力待ちモードでアプリケーションを起動すると判断してもよい。
【００７３】
（９）実施の形態に係る携帯端末１では、アプリケーションを起動して、文字入力待ちモードになった後に文字入力を受け付ける例で説明したが、これに限らない。ユーザがアプリケーションを起動する操作を行ってから、そのアプリケーションが起動完了し、文字入力待ちモードになるまでの起動処理中に、入力された文字を受け付けてもよい。
この場合、文字入力バッファ１０４は、アプリケーションの起動処理中にユーザが入力部１０３を用いて入力した文字データを逐次記憶して、アプリケーションが文字入力待ちモードで起動した後、記憶している文字データを入力された順に送出する。
【００７４】
これにより、ユーザは、アプリケーションの起動操作を行ってから、アプリケーションが文字入力待ちモードで起動完了するまでの間に入力部１０３を用いて文字を入力することができる。
（１０）実施の形態に係る携帯端末１では、タッチパッドへのユーザ操作によるロックの解除をフリックとしたが、タッチパッドへのユーザ操作によるロックの解除はこれに限らない。タッチパッドへのユーザ操作によるロックの解除は、どのようなタッチ操作で行ってもよい。例えば、ロック画面にロック解除用のアイコンを表示し、そのアイコンを所定の位置に移動させるドラッグによってロック解除してもよい。
【００７５】
（１１）実施の形態に係る携帯端末１のアプリケーション起動情報２００は、携帯端末１の製造時に予め設定されるとしたが、アプリケーション起動情報２００の設定はこれに限らない。アプリケーション起動情報２００の設定は、どのような方法で行ってもよい。例えば、通常モードで動作中に、予め定められた手順に従ってユーザが設定し、設定されたアプリケーション起動情報２００を記憶部１０２に記憶させるようにしてもよい。この方法によると、ユーザは、起動するアプリケーションを選択して、対応するアイコンの表示位置を自由に設定することができる。
【００７６】
（１２）実施の形態及び変形例において説明した各処理（図６、図８で示す処理）を携帯端末１のプロセッサ、及びそのプロセッサに接続された各種回路に実行させるための制御プログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布された制御プログラムは、携帯端末のプロセッサで読み取り可能なメモリ等に格納されることにより利用に供され、プロセッサがその制御プログラムを実行することにより実施の形態で示した各機能が実現される。
【００７７】
（１３）実施の形態において説明した携帯端末１の制御部１０７、接触検知部１３１、スライド操作検知部１３２、アプリケーション起動部１３３、及びロック部１３４の各機能は、全部又は一部を１チップ又は複数チップの集積回路で実現してもよいし、その機能をコンピュータのプログラムで実現してもよいし、その他どのような形態で実現してもよい。
【００７８】
（１４）上記の実施の形態及び上記の変形例を適宜組み合わせてもよい。
（１５）以下、更に本発明の一実施形態としての携帯端末、及びその変形例と効果について説明する。
（ａ）本発明の一態様である携帯端末は、タッチパネルを備えた上部筐体と、文字入力用の入力部を備えた下部筐体とが相対的に移動するように連結され、前記入力部が露出しない閉形態と前記入力部が露出する開形態との２つの形態を取り得る携帯端末であって、前記タッチパネルへの接触が行われたか否かを検知する接触検知部と、前記閉形態から前記開形態への形態変化を検知する操作検知部と、前記接触検知部における接触の検知がなされ、かつ、前記操作検知部により形態変化が検知された場合に、前記タッチパネルの接触の位置に基づいて起動すべきアプリケーションを特定し、当該アプリケーションを文字入力待ちの状態で起動する制御部とを備える。
【００７９】
この構成の携帯端末は、タッチパネルへの接触が行われたことの検知が、閉形態から開形態への形態変化の際になされた場合に、起動すべきアプリケーションを特定し、通常の起動ではなく入力部からの文字入力待ちの状態で起動する。
従って、ユーザが文字入力を伴うアプリケーション起動して文字入力するまでの操作の手間を軽減して、ユーザの使い勝手を向上し得る。
【００８０】
（ｂ）ここで、前記表示部は、アプリケーションに対応するアイコンを表示し、前記制御部は、前記タッチパネルへの接触の位置が、前記アイコンの表示位置に該当する場合に、当該アイコンに対応付けたアプリケーションを、起動すべきアプリケーションと特定する、としてもよい。
この構成の携帯端末は、タッチパネルの接触位置に対応付けたアプリケーションのアイコンを表示する機能を持つ。
【００８１】
従って、表示されるアイコンの位置にユーザの指等が接触したことを検知すると、そのアイコンに対応するアプリケーションについて、文字入力待ちの状態でアプリケーションを起動するか否かを判断することができる。
（ｃ）ここで、更に、前記アプリケーションの起動が抑制されるロック状態、及び当該ロック状態の解除を行うロック部を備え、ロック状態中において、前記操作検知部が前記形態変化を検知した場合には、前記ロック部が、ロック状態を解除する、としてもよい。
【００８２】
従って、携帯端末がロック状態であっても、ロックされていない状態の場合と同じ操作で、ロック状態を解除し、アプリケーションを文字入力待ちの状態で起動することができるので、文字入力するまでの操作の手間を軽減して、ユーザの使い勝手を向上し得る。
（ｄ）ここで、前記表示部は、前記ロック状態中に、各アイコンを表示している、としてもよい。
【００８３】
従って、携帯端末がロック状態中であっても、ユーザは、アプリケーションのアイコンにタッチすることができ、アプリケーションを文字入力待ちの状態で起動することができるので、文字入力するまでの操作の手間を軽減して、ユーザの使い勝手を向上し得る。
（ｅ）ここで、前記表示部は、当該表示部の表示領域を、前記上部筐体の移動方向に向かって分割して成る２領域の内、開形態にあるときの前記入力部に近い側の領域に各アイコンを表示する、としてもよい。
【００８４】
この構成の携帯端末は、閉形態から開形態へ形態変化させるスライド操作をユーザが片手で行う場合に、ユーザにとって親指でアイコンにタッチしながらスライド操作しやすい位置にアイコンを表示する。
従って、容易にアイコンに接触しながら閉形態から開形態へ形態変化させるスライド操作を行い得る。
【００８５】
（ｆ）ここで、前記表示部は、複数のアプリケーションそれぞれに対応したアイコンを、各アプリケーションの使用頻度の高い順に、前記表示領域において、開形態にあるときの前記入力部に近い位置から所定の間隔で並べて表示する、としてもよい。
この構成の携帯端末は、ユーザの使用頻度の多いアプリケーションに対応したアイコンを、開形態のときの入力部に近い側の表示領域に表示する。すなわち、閉形態から開形態へ形態変化させるスライド操作をユーザが片手で行う場合に、ユーザにとって親指でアイコンにタッチしながらスライド操作しやすい位置に、ユーザの使用頻度の多いプリケーションに対応したアイコンを表示する。
【００８６】
従って、ユーザは、頻繁に使うアプリケーションについて、容易にアイコンに接触しながら閉形態から開形態へ形態変化させるスライド操作を行い得る。
（ｇ）ここで、更に、消費電力の少ない状態の第１モードと、消費電力が前記第１モードより多い状態の第２モードとの動作モードの切替を行う動作モード制御部を備え、前記動作モード制御部は、自端末が第１モードで動作中に、前記操作検知部によって前記形態変化を検知した場合に、前記第１モードから前記第２モードに動作モードを切り替える、としてもよい。
【００８７】
この構成の携帯端末は、自端末が消費電力の少ない第１モードであるスリープモードで動作中であっても、通常の動作モードである第２モードと同様の操作で、起動するアプリケーションを特定して、文字入力待ちの状態で起動することができる。
従って、携帯端末がスリープモードで動作中であっても、ユーザが文字入力を伴うアプリケーション起動して文字入力するまでの操作の手間を軽減して、ユーザの使い勝手を向上し得る。
【００８８】
（ｈ）ここで、更に、前記制御部が前記アプリケーションの起動を開始してから、前記アプリケーションが文字入力待ちの状態になるまでの間に、ユーザが前記入力部から入力した文字を記憶する文字記憶部と、前記アプリケーションが文字入力待ちの状態になると、前記文字を、前記アプリケーションに入力する文字入力制御部とを備える、としてもよい。
【００８９】
この構成の携帯端末は、アプリケーションの起動を開始してから、アプリケーションが文字入力待ちの状態になるまでの間に、ユーザが入力した文字を記憶し、アプリケーションが文字入力待ちの状態になると、記憶した文字をアプリケーションに送出する。
従って、ユーザは、アプリケーションの起動の指示をしてから、アプリケーションが起動完了して、文字入力待ちの状態になるまでの間に、文字を入力することができる。
【００９０】
（ｉ）本発明の一態様である携帯端末の制御方法は、タッチパネルを備えた上部筐体と、文字入力用の入力部を備えた下部筐体とが相対的に移動するように連結され、前記入力部が露出しない閉形態と前記入力部が露出する開形態との２つの形態を取り得る携帯端末の制御方法であって、前記タッチパネルへの接触が行われたか否かを検知する接触検知ステップと、前記閉形態から前記開形態への形態変化を検知する操作検知ステップと、前記接触検知ステップにおける接触の検知がなされ、かつ、前記操作検知ステップにより形態変化が検知された場合に、前記タッチパネルの接触の位置に基づいて起動すべきアプリケーションを特定し、当該アプリケーションを文字入力待ちの状態で起動する制御ステップとを備える。
【００９１】
この構成の制御方法は、タッチパネルへの接触が行われたことの検知が、閉形態から開形態への形態変化の際になされた場合に、起動すべきアプリケーションを特定し、通常の起動ではなく入力部からの文字入力待ちの状態で起動させるよう、携帯端末を制御する。
従って、ユーザが文字入力を伴うアプリケーション起動して文字入力するまでの操作の手間を軽減して、ユーザの使い勝手を向上し得る。
【００９２】
（ｊ）本発明の一態様である携帯端末に実行させるための制御プログラムは、タッチパネルを備えた上部筐体と、文字入力用の入力部を備えた下部筐体とが相対的に移動するように連結され、前記入力部が露出しない閉形態と前記入力部が露出する開形態との２つの形態を取り得る携帯端末の制御方法であって、前記携帯端末に、前記タッチパネルへの接触が行われたか否かを検知する接触検知ステップと、前記閉形態から前記開形態への形態変化を検知する操作検知ステップと、前記接触検知ステップにおける接触の検知がなされ、かつ、前記操作検知ステップにより形態変化が検知された場合に、前記タッチパネルの接触の位置に基づいて起動すべきアプリケーションを特定し、当該アプリケーションを文字入力待ちの状態で起動する制御ステップとを実行させる。
【００９３】
この構成の制御プログラムは、タッチパネルへの接触が行われたことの検知が、閉形態から開形態への形態変化の際になされた場合に、起動すべきアプリケーションを特定し、通常の起動ではなく入力部からの文字入力待ちの状態で起動させる処理を、携帯端末に実行させることができる。
従って、ユーザが文字入力を伴うアプリケーション起動して文字入力するまでの操作の手間を軽減して、ユーザの使い勝手を向上し得る。
【産業上の利用可能性】
【００９４】
本発明は、携帯端末において、アプリケーションを起動して文字入力するまでにユーザが行う操作の手間を軽減する技術として利用可能である。
【符号の説明】
【００９５】
１  携帯端末
１１  上部筐体
１２  下部筐体
１０１  タッチパネル
１０２  記憶部
１０３  入力部
１０４  文字入力バッファ
１０５  磁気センサ
１０６  磁石
１０７  制御部
１０８  スピーカ
１０９  マイク
１１０  Ｉ／Ｏ
１１１  通信部
１１２  アンテナ
１２１  タッチパッド
１２２  表示装置
１２３  バックライト
１３１  接触検知部
１３２  スライド操作検知部
１３３  アプリケーション起動部
１３４  ロック部
【図１】
2014068262.tif 000003
【図２】
2014068262.tif 000004
【図３】
2014068262.tif 000005
【図４】
2014068262.tif 000006
【図５】
2014068262.tif 000007
【図６】
2014068262.tif 000008
【図７】
2014068262.tif 000009
【図８】
2014068262.tif 000010
【図９】
2014068262.tif 000011